(57)【要約】【課題】  特殊原稿（画像出力を禁止すべき紙幣等）を認識する地紋認識手段に異常が発生した場合に特殊原稿の画像出力が行われることを防止する。【解決手段】  原稿読取開始時に地紋認識ユニットのレジスタへの必要なパラメータの設定により立てるステータスフラグがセットされず、所定の時間内設定の正常終了が行われない場合、地紋認識ユニットの異常を検知し（Ｓ１０２）、又原稿読取動作中にも地紋認識ユニットとの接続ポートの信号レベルがＬであった場合、地紋認識ユニットの異常を検知し（Ｓ１０５）、異常時の制御を行う（Ｓ１０６〜１０８）。異常時の制御は、原稿読取、読取画像の蓄積装置への転送、プリント出力動作をそれぞれ中断する。【選択図】          図６
2006157195.tif 000002
【特許請求の範囲】
【請求項１】
原稿画像読取手段によって読取られた画像に基づいて画像出力用データを生成する画像処理手段と、原稿画像読取手段によって読取られた画像から地紋を認識する地紋認識手段と、装置全体を制御するシステム制御手段を有し、前記システム制御手段が前記画像処理手段を制御することによって前記地紋認識手段により地紋が認識された読取画像に特殊加工を施すことを可能にした画像処理装置であって、前記地紋認識手段に発生する異常を検知する異常検知手段を備え、前記システム制御手段は、前記異常検知手段により前記地紋認識手段に発生する異常が検知されたときに異常時の制御を行うようにしたことを特徴とする画像処理装置。
【請求項２】
請求項１に記載された画像処理装置において、前記異常検知手段は、地紋認識処理に必要なパラメータの設定が正常に終了しない状態を異常として検知する手段であることを特徴とする画像処理装置。
【請求項３】
請求項１又は２に記載された画像処理装置において、前記異常検知手段は、地紋認識手段から正常時に出力される信号レベルが生じない状態を異常として検知する手段であることを特徴とする画像処理装置。
【請求項４】
原稿画像を読取る原稿画像読取手段を有する請求項１乃至３のいずれかに記載された画像処理装置において、前記システム制御手段は、原稿画像の読取開始時に前記異常検知手段によって異常が検出されたことを条件に、前記原稿画像読取手段の動作を開始させないようにしたことを特徴とする画像処理装置。
【請求項５】
原稿画像を読取る原稿画像読取手段を有する請求項１又は３のいずれかに記載された画像処理装置において、前記システム制御手段は、原稿画像の読取中に前記異常検知手段によって異常が検出されたことを条件に、前記原稿画像読取手段の動作を中断させるようにしたことを特徴とする画像処理装置。
【請求項６】
原稿画像読取手段によって読取られた画像を蓄積する画像蓄積手段を有する請求項１又は３又は５に記載された画像処理装置において、前記システム制御手段は、原稿画像の読取中に前記異常検知手段によって異常が検出されたことを条件に、前記画像蓄積手段への画像の転送動作を中断させるようにしたことを特徴とする画像処理装置。
【請求項７】
前記画像処理手段によって生成された画像出力用データに基づいて画像を形成する画像形成手段を有する請求項１又は３又は５又は６に記載された画像処理装置において、前記システム制御手段は、原稿画像の読取中に前記異常検知手段によって異常が検出されたことを条件に、前記画像形成手段における画像形成動作を中断させるようにしたことを特徴とする画像処理装置。
【請求項８】
請求項１乃至７のいずれかに記載された画像処理装置において、前記システム制御手段は、原稿画像の読取開始時及び原稿画像の読取中に前記異常検知手段によって異常が検出されたことを条件に、システム異常の制御を行うようにしたことを特徴とする画像処理装置。
【発明の詳細な説明】
【技術分野】
【０００１】
本発明は、原稿画像の読取手段によって読取られた画像に基づいて画像出力用データを生成する画像処理を行う、例えば、複写機、ファクシミリ装置、スキャナ装置、デジタル複合機（コピー、ファクシミリ、スキャナ配信等の多機能を複合させた複写機）のような画像処理装置に関し、特に、地紋パターンを持つ原稿に対し特殊加工を施し画像出力を行うことを可能にする手段を備えた画像処理装置に関する。
【背景技術】
【０００２】
近年の複写機は、画像処理技術・画像形成技術の向上によって、複写機で複写したコピー紙幣と実際の紙幣とが容易に区別できないほど精巧に複写が行えるようになっている。このため、スキャナで読取った画像が紙幣、有価証券等の特殊原稿の画像であるか、否かを判別する機能を有し、特殊原稿の場合に、違法複写や画像データの外部への転送を禁止するようにした画像処理装置が提案されている。
上記のような特殊原稿の判別機能を有した画像処理装置の従来例として、下記特許文献１を挙げることができる。特許文献１記載の画像処理装置は、紙幣、有価証券等の特殊原稿の地紋に着目し、原稿の読取画像から抽出した地紋パターンを基準となる地紋パターンと照合することにより、特殊原稿を認識する方法を採用し、特殊原稿であると認識された読取画像による印刷を禁止したり、読取画像に加工をし（例えば、白にする）、又外部への当該画像データの転送を禁止して、特殊原稿画像の流出を防ぐ、という目的を達成するものである。また、この従来例では、特殊原稿を認識するための基準地紋パターンや判断基準を利用者によって変更可能にすることによって、利用者の要望に応えることができるようにしている。
【特許文献１】特開２００４−２００８９７号公報
【発明の開示】
【発明が解決しようとする課題】
【０００３】
しかしながら、地紋パターンを認識することにより特殊原稿を判別するために用いられる、特許文献１に例示したような、従来の地紋認識手段は、地紋認識手段に異常が発生した場合に、異常が発生したことを検知する手段を備えていない。従って、異常発生時に、地紋認識によるチェックが掛からずに、特殊原稿の読取画像であっても、原稿読取から印刷出力までのコピー処理が行われてしまう。
こうした地紋認識手段の異常時に生じる不具合が起きないようにするための手段について、これまでに提案がなされず、未解決の課題である。
本発明は、原稿から読取られた画像データを基に、プリント出力或いは外部への転送出力等の画像出力処理を行う画像処理装置（例えば、複写機、ファクシミリ装置等）において、画像出力を禁止すべき紙幣、有価証券等の特殊原稿を認識する地紋認識手段に異常が発生した場合に、地紋認識によるチェックが掛からずに、特殊原稿の読取画像であっても、画像出力が行われてしまう、という上述の従来技術の問題に鑑み、これを解決するためになされたもので、異常発生時に、特殊原稿の画像出力が行われることを防止するための手段を備えた画像処理装置を提供することを解決すべき課題とする。
【課題を解決するための手段】
【０００４】
請求項１の発明は、原稿画像読取手段によって読取られた画像に基づいて画像出力用データを生成する画像処理手段と、原稿画像読取手段によって読取られた画像から地紋を認識する地紋認識手段と、装置全体を制御するシステム制御手段を有し、前記システム制御手段が前記画像処理手段を制御することによって前記地紋認識手段により地紋が認識された読取画像に特殊加工を施すことを可能にした画像処理装置であって、前記地紋認識手段に発生する異常を検知する異常検知手段を備え、前記システム制御手段は、前記異常検知手段により前記地紋認識手段に発生する異常が検知されたときに異常時の制御を行うようにしたことを特徴とする画像処理装置である。
【０００５】
請求項２の発明は、請求項１に記載された画像処理装置において、前記異常検知手段は、地紋認識処理に必要なパラメータの設定が正常に終了しない状態を異常として検知する手段であることを特徴とするものである。
請求項３の発明は、請求項１又は２に記載された画像処理装置において、前記異常検知手段は、地紋認識手段から正常時に出力される信号レベルが生じない状態を異常として検知する手段であることを特徴とするものである。
【０００６】
請求項４の発明は、原稿画像を読取る原稿画像読取手段を有する請求項１乃至３のいずれかに記載された画像処理装置において、前記システム制御手段は、原稿画像の読取開始時に前記異常検知手段によって異常が検出されたことを条件に、前記原稿画像読取手段の動作を開始させないようにしたことを特徴とするものである。
請求項５の発明は、原稿画像を読取る原稿画像読取手段を有する請求項１又は３のいずれかに記載された画像処理装置において、前記システム制御手段は、原稿画像の読取中に前記異常検知手段によって異常が検出されたことを条件に、前記原稿画像読取手段の動作を中断させるようにしたことを特徴とするものである。
請求項６の発明は、原稿画像読取手段によって読取られた画像を蓄積する画像蓄積手段を有する請求項１又は３又は５に記載された画像処理装置において、前記システム制御手段は、原稿画像の読取中に前記異常検知手段によって異常が検出されたことを条件に、前記画像蓄積手段への画像の転送動作を中断させるようにしたことを特徴とするものである。
【０００７】
請求項７の発明は、前記画像処理手段によって生成された画像出力用データに基づいて画像を形成する画像形成手段を有する請求項１又は３又は５又は６に記載された画像処理装置において、前記システム制御手段は、原稿画像の読取中に前記異常検知手段によって異常が検出されたことを条件に、前記画像形成手段における画像形成動作を中断させるようにしたことを特徴とするものである。
請求項８の発明は、請求項１乃至７のいずれかに記載された画像処理装置において、前記システム制御手段は、原稿画像の読取開始時及び原稿画像の読取中に前記異常検知手段によって異常が検出されたことを条件に、システム異常の制御を行うようにしたことを特徴とするものである。
【発明の効果】
【０００８】
請求項１〜８の発明によると、プリント出力或いは外部への転送出力等の画像出力を禁止すべき紙幣、有価証券等の特殊原稿を判別する地紋認識手段に発生する異常を検知する異常検知手段を備え、異常検知手段により異常が検知されたときに、異常時の制御動作として、特殊原稿の画像出力を防ぐための動作を行うことを可能にしたので、地紋認識手段の異常時に従来システムで生じていた不具合（地紋認識によるチェックが掛からずに、画像出力を防止できない）をなくし、装置の性能を向上させることが可能になる。
特に、地紋認識処理に必要なパラメータの設定が正常に終了しない状態を異常として検知することにより、早期に異常に対応し、処理の効率化を図ることが可能になる（請求項２）。また、地紋認識手段から正常時に出力される信号レベルが生じない状態を異常として検知することにより、読取りの開始時から読取り動作中にわたり常時異常に対応した制御を行うことが可能になる（請求項３）。
また、原稿画像の読取開始時に異常が検出されたことを条件に、画像読取手段の動作を開始させないようにしたので、無駄な読取りを防ぐことが可能になる（請求項４）。また、地紋認識手段の異常を常時検知できる手段によって、読取りの開始時から読取り動作中にわたり異常を検知し、異常が検出されたことを条件に、画像読取手段の動作を中断するようにしたので、より完全に所期の異常に対応した制御を行うことが可能になる（請求項５）。
【０００９】
さらに、画像読取手段によって読取られた画像を蓄積する画像蓄積手段を有する画像処理装置において、地紋認識手段に異常が検出されたことを条件に、画像蓄積手段への画像の転送動作を中断させるようにしたので、地紋を正常に認識できない場合に、原稿画像の二次利用（例えば、外部への画像データの配信など）を防ぐことが可能になる（請求項６）。
また、画像処理手段によって原稿画像から生成された画像出力用データに基づいて画像を形成する画像形成手段を有する画像処理装置において、地紋認識手段に異常が検出されたことを条件に、画像形成手段における画像形成動作を中断させるようにしたので、地紋を正常に認識できない場合に、原稿の複製を防ぐことが可能になり、また無駄な転写紙の搬送を防ぐことが可能になる（請求項７）。
さらに、原稿画像の読取開始時及び原稿画像の読取中に地紋認識手段に異常が検出されたことを条件に、システム異常の制御を行うようにしたので、以降に新たに要求されるジョブを受付けないようにする、といったシステムの全面的な異常時の対応を可能にする（請求項７）。
【発明を実施するための最良の形態】
【００１０】
以下に、原稿から読取られた画像データを基に、プリント出力或いは外部への転送出力等の画像出力処理を行う、本発明の画像処理装置（例えば、デジタル複合機等）に係わる実施形態を示す。
本発明の画像処理装置は、紙幣、有価証券等の特殊原稿が処理対象になった場合に、その画像出力を行わないように動作を制御する機能を備える。この機能を実現するためには、処理対象が特殊原稿であるか、否かを判別する必要があり、本発明では原稿画像の地紋認識によりその判別を行う。
本発明の解決すべき課題は、上記画像処理装置が有する地紋認識手段に異常が発生した場合、地紋認識によるチェックが掛からずに、特殊原稿の画像出力が防止できなくなる、という従来システムの不具合を解消することにある。
このために、本発明の画像処理装置は、地紋認識手段に発生する異常を検知する異常検知手段と、異常検知手段により異常が検知されたときに、特殊原稿の画像出力を防ぐための動作を行わせる制御手段を備える。
【００１１】
上記した課題の解決手段を備えた画像処理装置は、単独の装置の場合もあるが、ネットワーク接続が可能な装置の場合、読取入力された原稿画像は外部装置との間で送信・受信され、画像出力に用いられるといった形態で実施される。
そこで、先ず、ネットワークに接続可能な各種の画像処理装置を要素として構成する画像処理システムの例を示す図１を参照して、本発明の実施の対象となる装置について、説明する。
図１に示す画像処理システムは、デジタル複合機（コピー、ファクシミリ、スキャナ配信等の多機能を複合させた複写機）１００，１０１と、スキャナ装置１０２，１０４と、プリンタ装置１０３，１０５及びコンピュータ １０６，１０７，１０８を要素とし、これらをネットワーク１１３に接続することにより構成される。
本発明に係わる画像処理装置は、原稿から読取られた画像データを基に、プリント出力或いは外部への転送出力等の画像出力処理を行う装置であり、図１のシステムにおいては、デジタル複合機１００，１０１、スキャナ装置１０２，１０４及びプリンタ装置１０３，１０５がこの装置に当たる。
デジタル複合機１００，１０１は、原稿画像の読取り、読取った原稿画像の蓄積及び読取った原稿画像やスキャナ装置１０２，１０４等の外部装置からネットワーク１１３経由で受け取った画像に基づくプリント出力或いは外部への転送出力（スキャナ配信等）を行う（なお、デジタル複合機については、後記で詳述）。また、スキャナ装置１０２，１０４は、読取った原稿画像の蓄積及びネットワーク１１３経由でデジタル複合機１００，１０１やプリンタ装置１０３，１０５等の外部装置へ読取った原稿画像の転送を行う。また、プリンタ装置１０３，１０５は、スキャナ装置１０２，１０４やデジタル複合機１００，１０１等の外部装置からネットワーク１１３経由で転送されてくる原稿画像の蓄積及び外部装置から受け取った画像に基づくプリント出力を行う。
デジタル複合機１００，１０１とスキャナ装置１０２，１０４は、電話回線としての公衆回線網１０９，１１０，１１１，１１２へ、読み取った画像をＦＡＸデータとして直接送信できる。
さらに、コンピュータ １０６，１０７，１０８は、ネットワーク１１３に接続されたデジタル複合機１００，１０１、スキャナ装置 １０２，１０４及びプリンタ装置 １０３，１０５を操作し、原稿画像の送信・受信や蓄積ができるので、これらと協働することにより、本発明の画像処理装置を構成することが可能である。
【００１２】
以下、本発明に係わる画像処理装置について、実施形態に基づいて詳細に説明する。なお、本発明をスキャナ装置、プリンタ装置、ファクシミリ装置に実施した場合に各画像処理装置が備える必要がある機能の全てをデジタル複合機が備えているので、ここでは、デジタル複合機を例に実施形態を説明する。
図２は、本実施形態のデジタル複合機に係わる制御システムの構成を概略的に示すブロック図である。
図２に示すデジタル複合機１００の制御システムは、大別すると、システムコントローラ２３０、操作パネル制御装置２３１及び画像入出力制御装置２３２よりなる。
システムコントローラ２３０は、スキャナアプリケーション、コピーアプリケーション、ＦＡＸアプリケーション、プリンタプリケーション等の複数及び単体アプリケーションの機能を持つことができ、システム全体の制御を行う装置である。操作パネル制御装置２３１は、表示装置の案内に従いユーザが制御システムに対し動作条件を設定するための入力操作を行う装置である。画像入出力制御装置２３２は、原稿画像の読取り、電子写真技術による転写用紙への画像書き込みを行うための制御を行う装置である。
画像データバス／制御コマンドバス２２０は、画像データと制御コマンドが時分割で転送されるバスである。
【００１３】
ＣＰＵ２０５は、システムコントローラ２３０の制御を行う。ＲＯＭ２０４にはシステムコントローラ２３０の制御プログラムが書かれている。ＲＡＭ２０３は、ＣＰＵ２０５が使用する作業用メモリである。ＮＶＲＡＭ２０２は、不揮発性メモリであり、システム全体の管理情報を保管する。ネットワークＩ／Ｆコントローラ２０６は、ネットワークとの接続制御を行う。
システムＩ／Ｆ２０７は、ＣＰＵ２０５の命令によりシステム内で処理される、ＦＡＸデータ、プリント出力用データの転送制御を行う。ワークメモ２００はプリント出力に使用する画像展開の作業用メモリである。フレームメモリ２０１は、読取原稿画像や書き込み画像のイメージデータを蓄える作業用メモリであり、イメージデータは、符号化されたり、ドットイメージであったりする。
ＦＩＦＯバッファ２０９は、入力画像をフレームメモリ２０１への書き込み時のデータ転送速度変換を行う。同様にＦＩＦＯバッファ２０８は、フレームメモリ２０１の画像データを出力画像としてデータ転送する時の速度変換を行う。
メモリコントローラ２１０は、ＣＰＵ２０５の制御なしに、フレームメモリ２０１及び、ＨＤＤＣ（Hard Disc Drive Controller）２５０とバス２２０間の画像の入出力をコントロールする。
ＨＤＤＣ２５０は、内部に周知のＨＤＤを持ちＨＤＤへ画像データの入出力制御を行う。ＨＤＤには、画像読取ユニット２２４で読み取られた画像及び、ネットワーク経由で取得した画像が保存される。
【００１４】
ＣＰＵ２１７は、操作パネル制御装置２３１の制御を行う。ＲＯＭ２１６は操作パネル制御装置２３１の制御プログラムが書かれている。ＲＡＭ２１８は、ＣＰＵ２１７で使用する作業用メモリである。入力装置２１４は、ユーザがシステム設定の入力を行う装置である。表示装置２１５は、ユーザがシステムの設定内容、状態を確認し、ユーザに入力操作を案内するための表示等を行う装置である。
ＣＰＵ２２５は、画像入出力制御装置２３２の制御を行う。ＲＯＭ２２９には、画像入出力制御装置２３２の制御プログラムが書かれている。ＲＡＭ２２８は、ＣＰＵ２２５で使用する作業用メモリである。
画像書き込みユニット２２３は、レーザー光を画素周波数で点灯し、ポリゴンスキャナで感光体の像担持面に走査方式で潜像を生成する光学書き込みを行うための制御ユニットである。
画像読み取りユニット２２４は、ランプ光で照明される原稿面からの反射光をＣＣＤで光電変換することにより、原稿画像を読み取る、光学式スキャナの制御を行うユニットである。また、画像読み取りユニット２２４は、画像処理を行い可視及び不可視の識別子を画像データから分離する。分離した識別子は、ＣＰＵ ２２５でコード化され、システムコントローラ２３０に送られ、ネットワーク上に存在する画像処理装置及びコンピュータを特定する情報として利用される。
原稿搬送制御ユニット２３４は、複数枚積載された原稿から画像読み取りユニット２２３が読み取る原稿を１枚づつ搬送する。また、原稿搬送制御ユニット２３４は、原稿のサイズ検出も行う。
【００１５】
電子写真プロセスユニット２２６は、感光体上にレーザー光で潜像として書きこまれた画像をトナーで顕像化し、用紙に転写、定着する電子写真プロセスによる画像形成処理を制御するユニットである。
転写紙搬送制御ユニット２２７は、電子写真プロセスユニット２２６で画像が転写される転写用紙の搬送制御を行う。
課金装置Ｉ／Ｆユニット２３３ は，画像入出力制御装置２３２と課金装置（図示せず）を接続するため、ＣＰＵ２２５の命令を課金装置の専用Ｉ／Ｆへ変換し、課金装置と印刷条件、課金、印刷可否信号の送受信を行う。
地紋認識ユニット２３５は、画像読み取りユニット２２４により読取られた原稿画像に対する地紋パターンの認識を行う。地紋認識ユニット２３５による地紋パターンの認識は、紙幣、有価証券等の特殊原稿を判別するために行われ、本実施形態では、その結果が、画像読み取りユニット２２４に送られる。画像読み取りユニット２２４は、地紋認識ユニット２３５から地紋が認識されたことが知らされると、ＣＰＵ２２５の指示により画像データを所定の階調と位相に固定化し、特殊原稿の画像の判読ができないように画像に加工を施す。なお、この地紋パターンの認識と、認識結果による画像出力の制御については、下記に実施例を示す。
【００１６】
図３は、地紋認識ユニット２３５に設けた地紋パターン認識の処理ブロックの１例を示す。
画像読み取りユニット２２４で読取られ、２値化された原稿画像が、地紋認識ユニット２３５に送られてくる。地紋パターン認識の処理ブロックでは、受け取った原稿の２値画像データを孤立ドット検出部３００に入力し、ここで“主走査d画素×副走査lライン”領域中にある孤立画素の情報３０４を検出する。検出した孤立画素の情報３０４は、画像データとともに位相情報記憶部３０１に送られる。
位相情報記憶部３０１では、“主走査d画素×副走査lライン”領域中にある孤立画素の情報３０４から、“主走査ｄ画素×Ｂ数分”のＢｄと“副走査ｌライン×Ｌ数分”のＬｌの領域よりなる“Ｂｄ×Ｌｌ”ブロック中で孤立画素の位置関係を表す情報３０５を記憶する。
パターンマッチング部３０２では、位相情報記憶部３０１で記憶された“Ｂｄ×Ｌｌ”ブロック中の孤立画素の位置関係情報３０５と、所定の地紋パターン（紙幣、有価証券等の特殊原稿であることを特徴付ける地紋パターン）とのマッチングを行うことにより、パターンの一致度３０６を得、得られた結果は地紋検出部３０３に送られる。
地紋検出部３０３では、副走査ライン中で所定数ｎ個のブロックにおけるパターンマッチング検出により得た結果をもとに、地紋であるか、否かの判断をして、検出信号として出力される。
【００１７】
地紋認識ユニット２３５で地紋パターンが認識された場合、地紋パターンを持つ特殊原稿の画像出力を防ぐための制御動作を行う。例えば、複写の場合には、原稿画像を用いてプリント出力をするときに、特殊原稿の画像を判読できないように画像に加工を施す。
図４及び図５は、特殊原稿の画像出力を防ぐための制御を説明する図で、図４は、地紋のある原稿に対し、図５は、地紋のない原稿に対する出力を示す。
図４に示すように、地紋が印刷された原稿４００の読取時に地紋認識を行い、地紋が認識されると、画像データを所定の階調と位相に固定化するデータ加工を施し、このデータを出力に用いて、原稿画像の判読ができないようにしたプリント出力４０１を得る。ここで、地紋印刷された同じ原稿４００を読取る時に、地紋認識を行わないと、原稿画像はそのままの読取データとして出力に用いられるので、通常のプリント出力４０２が得られる。
また、図５に示すように、地紋が印刷されていない原稿５００の読取時に地紋認識を行うが、地紋が認識されないので、画像データを所定の階調と位相に固定化するデータ加工を施すことなく、このデータを出力に用いて、通常の画像のプリント出力５０１を得る。ここで、地紋印刷された同じ原稿５００を読取る時に、地紋認識を行わないと、原稿画像はそのままの読取データとして出力に用いられるので、地紋認識を掛けたとき（プリント出力５０１）と同じ通常のプリント出力５０２が得られる。
【００１８】
次に、特殊原稿の画像出力の制御を行うために装備された地紋認識ユニット２３５に異常が発生した場合の制御に関する実施形態を説明する。
地紋認識ユニット２３５に異常が発生すると、上記で図４を参照して示した地紋認識を行わないときのプリント出力４０２の出力動作と同様に、地紋認識によるチェックが掛からずに、特殊原稿の画像出力が防止できなくなる、という不具合が起きる。地紋認識ユニット２３５の異常時の制御は、この不具合を解消することにある。このために、地紋認識ユニット２３５の異常を検知し、異常が検知されたときに、読取った原稿の画像出力を行うための動作を停止、中断等の異常時の制御を行い、特殊原稿の画像出力を防止する。
図６は、地紋認識ユニットの異常検知により、異常時の制御を行う原稿読取処理の制御フローを示すチャートである。
以下に、地紋認識ユニットの異常時に対応可能な原稿読取処理の制御に係わる実施形態として、「実施形態１」〜「実施形態５」を示す。各実施形態は、上記したデジタル複合機に適用し得る形態として、適宜選択可能なバリエーションを示すものであるから、実施形態をバリエーションに従って分説する。なお、図６のフローチャートは、各実施形態の説明に共通に用いる形式で示しているので、実施形態によっては、不要な手順を含むことになる。
【００１９】
「実施形態１」
本実施形態は、読取開始時に地紋認識ユニットの異常を検知し、異常時の制御を可能にするものである。
図６の制御フローを参照して、本実施形態の制御動作を説明する。操作パネルでスキャナによる原稿読取を必要とするコピー、ＦＡＸ、スキャナ機能を利用する動作モードが設定されスタートボタンが押されると、原稿読取の処理が開始され、ＣＰＵ２２５は、地紋認識ユニット２３５のレジスタに必要なパラメータを設定する（ステップＳ１０１）。
設定が終了すると、ＣＰＵ２２５は、地紋認識ユニット２３５のステータスフラグをセットする。このステータスフラグのセットにより、地紋認識ユニット２３５のパラメータの設定が正常終了した状態にあることが示され、ステータスフラグのセットが画像読取りユニット２２４に通知される。
ここで、画像読取りユニット２２４は、地紋認識ユニット２３５の異常を検知する（ステップＳ１０２）。本実施形態では、読取開始時の地紋認識ユニット２３５の異常を検知する手段として２つの手段を用い、同時に検知動作を行い、何れかで異常が検知された場合に、異常と判断することにより、検知漏れを防ぐことを可能にする。なお、本実施形態では、２つの異常検知手段を用いる例を示すが、一方の手段のみにより実施することも可能である。
【００２０】
第１の異常検知手段は、上記したステータスフラグのセットをチェックすることによる。即ち、画像読取りユニット２２４は、パラメータの設定が開始されてから、所定の時間内に、地紋認識ユニット２３５から設定の正常終了（ステータスフラグのセット）が通知されない場合、地紋認識ユニット２３５に異常が発生したと認識する。
また、第２の異常検知手段は、一定周期で、地紋認識ユニット２３５との接続ポートの信号レベルを確認する。この接続ポートの信号レベルは、正常に動作している場合に、常時、Ｈ（High）レベルの信号を出力しているので、信号レベルがＬ（Low）であった場合、地紋認識ユニット２３５が未接続、または異常が発生したと認識し得る。なお、第２の異常検知手段は、上記のように、地紋認識ユニット２３５の接続ポートの信号レベルを検出する方法によっているので、画像読取りの動作を行っている途中で地紋認識が行われる場合にも、地紋認識ユニット２３５の異常をチェックすることが可能であり、後述の実施形態２においても用いられる。
【００２１】
地紋認識ユニット２３５の異常検知ステップ（ステップＳ１０２）で異常が検知されない場合には、スキャナを動作させ、原稿読取が開始される（ステップＳ１０３）。この後、原稿読取動作を終えたことを確認して（ステップＳ１０４-YES）、原稿読取処理の制御フローを終了する。
他方、画像読取りユニット２２４によって、異常が検知された場合に（ステップＳ１０２-YES）、システム異常の処理を行う（ステップＳ１０６）。このシステム異常の処理動作として、画像入出力制御装置２３２は、システムコントローラ２３０へ地紋認識ユニット２３５の異常を通知する。異常の通知を受けたシステムコントローラ２３０は、画像入出力制御装置２３２へ、システム異常状態に遷移するように要求し、画像入出力制御装置２３２は、システム異常状態に遷移する。システム異常状態に遷移すると、画像入出力制御装置２３２の制御下にある各ユニットの動作は停止されるので、開始しようとしている画像読取りユニット２２４の動作も開始されない。
また、システムコントローラ２３０は、システム異常状態への遷移を操作パネル制御装置２３１にも要求する。この要求に応じて、操作パネル制御装置２３１は、原稿画像の読取りを含め、画像入出力制御装置２３２の制御を必要とする機能を使用するためのユーザの入力操作を受け付けないようにし、その旨のメッセージをユーザに表示する。
本実施形態のフローでは、システム異常の処理（ステップＳ１０６）を行った後、原稿読取処理の制御フローを終了する。
【００２２】
「実施形態２」
上記実施形態１では、システム異常状態への遷移により、異常時の制御を行っているが、原稿画像の読取りのみを制御対象として異常時の制御を行うことも可能であり、本例では、その実施形態を示す。
本実施形態において、読取開始時に地紋認識ユニットの異常を検知する動作そのものは、実施形態１と変わりが無く、異常検知時に原稿画像の読取りを制御対象として定めて異常時の制御を行う点が異なる。即ち、制御フロー（図６）において、実施形態１のシステム異常の処理ステップ（ステップＳ１０６）に代えて、本実施形態では、原稿読取の中止の処理ステップを実行する。
この原稿読取の中止の処理動作としては、画像読取りユニット２２４によって、地紋認識ユニットの異常が検出された場合に、画像入出力制御装置２３２は、システムコントローラ２３０へ地紋認識ユニットの異常を通知する。異常の通知を受けたシステムコントローラ２３０は、画像入出力制御装置２３２へ、原稿読取を中止するように要求する。この要求を受け、画像入出力制御装置２３２のＣＰＵ２２５は、画像読取りユニット２２４に原稿読取の中止を指示する。この指示に従い画像読取りユニット２２４の動作が中止され、開始しようとしている画像読取り動作は開始されない。
また、システムコントローラ２３０は、画像読取りユニット２２４における原稿読取の中止に対応して、操作パネル制御装置２３１を通して、ユーザにその旨を知らせるメッセージ表示を行うようにする。
本実施形態のフローでは、原稿読取を中止する処理を行った後、原稿読取処理の制御フローを終了する。
【００２３】
「実施形態３」
本実施形態は、読取動作中に地紋認識ユニットの異常を検知し、異常時の制御を可能にするものである。
図６の制御フローを参照して、本実施形態の制御動作を説明する。原稿読取の処理開始時に、地紋認識ユニットの異常を検知し（ステップＳ１０２）、異常時の制御を行う（ステップＳ１０６）処理フローは、上記実施形態１及び２と同様に行われる。
原稿読取の処理開始時の異常検知で異常が検知されない場合には（ステップＳ１０２-NO）、スキャナを動作させ、原稿読取が開始される（ステップＳ１０３）。
この後、原稿読取動作が終了するまで（ステップＳ１０４-YES）、一定の周期で地紋認識ユニットの異常を繰り返し検知する（ステップＳ１０５）。このときの地紋認識ユニット２３５の異常検知手段は、上記実施形態１に記した第２の異常検知手段、即ち、地紋認識ユニット２３５との接続ポートの信号レベルがＬ（Low）であることを検知することにより異常の発生を認識する手段を用いる。
【００２４】
読取動作中に一定の周期で地紋認識ユニットの異常を繰り返し検知し、異常が検知されずに（ステップＳ１０５-NO）、原稿読取動作を終えた場合には（ステップＳ１０４-YES）、原稿読取処理の制御フローを終了する。
他方、画像読取りユニット２２４によって、読取動作中に異常が検知された場合に（ステップＳ１０５-YES）、システム異常の処理を行う（ステップＳ１０６）。このシステム異常の処理動作として、画像入出力制御装置２３２は、システムコントローラ２３０へ地紋認識ユニット２３５の異常を通知する。異常の通知を受けたシステムコントローラ２３０は、画像入出力制御装置２３２へ、システム異常状態に遷移するように要求し、画像入出力制御装置２３２は、システム異常状態に遷移する。
システム異常状態に遷移すると、画像入出力制御装置２３２の制御下にある各ユニットの動作は停止されるので、動作中の画像読取りユニット２２４の読取動作は中断される。なお、読取画像をＨＤＤ等に蓄積する動作を行っている場合、或いはプリント出力動作を行っている場合には、読取画像の転送動作、プリント出力動作の何れも中断される。
また、システムコントローラ２３０は、画像入出力制御装置２３２のシステム異常状態への遷移に対応して、操作パネル制御装置２３１を通して、ユーザにその旨を知らせるメッセージ表示を行うようにする。
本実施形態のフローでは、システム異常の処理（ステップＳ１０６）を行った後、原稿読取処理の制御フローを終了する。
【００２５】
「実施形態４」
上記実施形態３では、システム異常状態への遷移により、読取動作中に地紋認識ユニットに起きる異常に対応する制御を行っているが、原稿画像の読取りと読取画像の転送を制御対象として定めて異常時の制御を行うことも可能であり、本例では、その実施形態を示す。
本実施形態において、読取動作中に地紋認識ユニットの異常を検知する動作そのものは、上記実施形態３と変わりが無く、異常検知時に原稿画像の読取りと読取画像の転送を制御対象として定めて異常時の制御を行うようにする点が異なる。即ち、制御フロー（図６）において、実施形態１のシステム異常の処理ステップ（ステップＳ１０６）に代えて、本実施形態では、原稿読取の中止の処理ステップと読取画像の転送を中断させるステップを実行する。
この異常時の制御動作としては、画像読取りユニット２２４によって、地紋認識ユニットの異常が検出された場合に（ステップＳ１０５-YES）、画像入出力制御装置２３２は、システムコントローラ２３０へ地紋認識ユニット２３５の異常を通知する。異常の通知を受けたシステムコントローラ２３０は、画像入出力制御装置２３２へ、原稿読取の中断及びＨＤＤＣ２５０内のＨＤＤへの読取画像の転送中断を要求する。この要求を受け、画像入出力制御装置２３２のＣＰＵ２２５は、画像読取りユニット２２４に原稿読取の中断及びＨＤＤへの読取画像の転送中断を指示する。この指示に従い画像読取りユニット２２４の読取動作が中断され（ステップＳ１０６）、ＨＤＤへの読取画像の転送が中断される（ステップＳ１０７）。
また、システムコントローラ２３０は、画像読取りユニット２２４における原稿読取の中断及びＨＤＤへの読取画像の転送中断に対応して、操作パネル制御装置２３１を通して、ユーザにその旨を知らせるメッセージ表示を行うようにする。
本実施形態のフローでは、原稿読取を中断し、ＨＤＤへの読取画像の転送を中断する処理を行った後、原稿読取処理の制御フローを終了する。
【００２６】
「実施形態５」
上記実施形態４では、読取動作中に地紋認識ユニットに起きる異常に対応して、原稿画像の読取りと読取画像の転送を対象として、動作を中断する制御を行っているが、本実施形態では、制御対象にプリント出力動作を加えて、この動作も中断することを意図したものである。
本実施形態において、読取動作中に地紋認識ユニットの異常を検知する動作そのものは、上記実施形態４と変わりが無く、異常検知時に原稿画像の読取りと読取画像の転送以外に、プリント出力動作を制御対象に加えて、異常時の制御を行うようにする点が異なる。即ち、制御フロー（図６）において、実施形態１のシステム異常の処理ステップ（ステップＳ１０６）に代えて、本実施形態では、原稿読取の中止の処理ステップ、読取画像の転送を中断させるステップ及びプリント出力動作の中断を実行する。
本実施形態の異常時の制御動作としては、画像読取りユニット２２４によって、地紋認識ユニットの異常が検出された場合に（ステップＳ１０５-YES）、画像入出力制御装置２３２は、システムコントローラ２３０へ地紋認識ユニット２３５の異常を通知する。異常の通知を受けたシステムコントローラ２３０は、画像入出力制御装置２３２へ、原稿読取の中断、ＨＤＤＣ２５０内のＨＤＤへの読取画像の転送中断及び所定の転写紙におけるジャムの発生を要求する。この要求を受け、画像入出力制御装置２３２のＣＰＵ２２５は、画像読取りユニット２２４に原稿読取の中断、ＨＤＤへの読取画像の転送中断及び転写紙搬送制御ユニット２２７にジャムの発生を指示する。この指示に従い画像読取りユニット２２４の読取動作が中断され（ステップＳ１０６）、ＨＤＤへの読取画像の転送が中断され（ステップＳ１０７）、さらに、転写紙搬送制御ユニット２２７において転写紙の搬送停止によりジャムを発生させる（ステップＳ１０８）。
また、システムコントローラ２３０は、画像読取りユニット２２４における原稿読取の中断及びＨＤＤへの読取画像の転送中断に対応して、操作パネル制御装置２３１を通して、ユーザにその旨を知らせるメッセージ表示を行うようにする。
本実施形態のフローでは、原稿読取を中断し、ＨＤＤへの読取画像の転送を中断し、転写紙の搬送停止によりジャムを発生させる処理を行った後、原稿読取処理の制御フローを終了する。
なお、本実施形態は、デジタル複合機を対象に実施形態を示したので、デジタル複合機が、複合機能それぞれを実現するために通常備えている、読取画像の蓄積手段（ＨＤＤ等）やプリント出力手段を持つことを前提に、上記制御フローにおける異常時の制御動作（ステップＳ１０６〜Ｓ１０８）を示した。従って、例えばスキャナ装置のように、普通、ＨＤＤ等の蓄積手段やプリント出力手段を持たない画像処理装置を対象に実施する場合には、異常時の制御フローとして、読取画像の転送を中断する処理（ステップＳ１０７）及び転写紙のジャムを発生させる処理（ステップＳ１０８）は不要になる。
【図面の簡単な説明】
【００２７】
【図１】本発明の実施形態に係わる画像処理装置を要素として構成する画像処理システムの例を示す。
【図２】本発明の実施形態に係わるデジタル複合機の制御システム構成を概略的に示すブロック図である。
【図３】地紋認識ユニットに設けた地紋パターン認識の処理ブロックの１例を示す。
【図４】特殊原稿（地紋を持つ）の画像出力を防ぐための制御を説明する図を示す。
【図５】特殊原稿（地紋を持つ）の画像出力を防ぐための制御を説明する図を示す。
【図６】地紋認識ユニットの異常検知により、異常時の制御を行う原稿読取処理の制御フローを示すチャートである。
【符号の説明】
【００２８】
１００・・デジタル複合機、          ２２４・・画像読取ユニット、
２２７・・転写紙搬送制御ユニット、  ２３５・・地紋認識ユニット、
２３０・・システムコントローラ、    ２３１・・操作パネル制御装置、
２３２・・画像入出力制御装置、
２５０・・ＨＤＤＣ（Hard Disc Drive Controller）。
【図１】
2006157195.tif 000003
【図２】
2006157195.tif 000004
【図３】
2006157195.tif 000005
【図４】
2006157195.tif 000006
【図５】
2006157195.tif 000007
【図６】
2006157195.tif 000008